(57)【要約】【課題】  就寝中や活動中に木酢液含有粉末の作用を利用して体内の不要な水分を老廃物と共に吸い出しても、これにより生ずるベトベト液の戻りが少なくベトつきが抑さえられるような、木酢液含有粉末入り添付袋を提供する。【解決手段】  人体やペットの体に添付する側が透水性を有すると共に、他側が撥水性を有する袋を形成し、内部に木酢液含有粉末を充填して塞ぎ、更に体から出る液体を吸収して戻さない吸水体を前記袋内に納めて成る。  また人体やペットの体に添付する側が半透過性を有すると共に、他側が撥水性を有する袋を形成し、内部に木酢液含有粉末を充填して塞いで成る。【選択図】  図１
2005334631.tif 000002
【特許請求の範囲】
【請求項１】
人体やペットの体に添付する側が透水性を有すると共に他側が非透水性を有する袋を形成し、内部に木酢液含有粉末を充填して塞いで成り、更に前記袋内には体から出る液体を吸収して戻さない吸水体を備えていることを特徴とする、木酢液含有粉末入り添付袋。
【請求項２】
人体やペットの体に添付する側が透水性を有すると共に他側が非透水性を有する袋を形成し、内部に木酢液含有粉末を充填して塞いで成り、前記袋は体に添付する側が体から出る液体に対して半透過性を有するものであることを特徴とする、木酢液含有粉末入り添付袋。
【請求項３】
人体やペットの体に添付する側が透水性を有すると共に他側が非透水性を有する袋を形成し、内部に木酢液含有粉末を充填して塞いで成り、前記袋は体に添付する側の外側に体から出る液体に対して半透過性を有するシートが設けられていることを特徴とする、木酢液含有粉末入り添付袋。
【請求項４】
前記半透過性を有するシートが袋に対して剥離可能に設けられている、請求項３に記載の木酢液含有粉末入り添付袋。
【請求項５】
人体やペットの体に添付する側が透水性を有すると共に他側が非透水性を有する袋を形成し、内部に木酢液含有粉末を充填して塞いで成り、前記袋は体に添付する側の内側に体から出る液体に対して半透過性を有するシートが設けられていることを特徴とする、木酢液含有粉末入り添付袋。
【請求項６】
更に前記添付袋が体に固定するための粘着シートを備えており、粘着シートの粘着面を覆う剥離紙が設けられている、請求項１または請求項２または請求項３または請求項５に記載の木酢液含有粉末入り添付袋。
【請求項７】
前記添付袋の体に添付する側に透水性を有する粘着面が設けられており、この粘着面を覆う剥離紙が設けられている、請求項１または請求項２または請求項３または請求項５に記載の木酢液含有粉末入り添付袋。
【請求項８】
人体やペットの体に添付する側が体から出る液体に対し半透過性を有する素材から成る袋を形成し、この内部に木酢液含有粉末を充填して塞いで成ると共に、粘着面を覆う剥離紙が張られた体に固定するための非透水性を有する粘着シートを備えていることを特徴とする、木酢液含有粉末入り添付袋。
【請求項９】
人体やペットの体に添付する側が体から出る液体に対し半透過性を有すると共に他側が透水性を有する袋を形成し、内部に木酢液含有粉末を充填して塞いで成り、前記袋の体に添付する側に透水性を有する粘着面が設けられておりこの粘着面を覆う剥離紙が設けられていると共に、前記添付袋の透水性を有する側に非透水性を有するシートが剥離可能に設けられていることを特徴とする、木酢液含有粉末入り添付袋。
【請求項１０】
人体やペットの体に添付する側が体から出る液体に対し半透過性を有すると共に他側が透水性を有する袋を形成し、内部に木酢液含有粉末を充填して塞いで成り、この袋を体に固定するための透明且つ非透水性を有する粘着シートを備えており、粘着シートの粘着面を覆う剥離紙が設けられていることを特徴とする、木酢液含有粉末入り添付袋。
【請求項１１】
人体やペットの体に添付する側が体から出る液体に対し半透過性を有する素材から成る袋を形成し、内部に木酢液含有粉末を充填して塞いで成り、前記袋の体に添付する側ではない側に開孔部が設けられており、この袋を体に固定するための透明な粘着シートを備えていると共に、粘着シートの粘着面を覆う剥離紙が設けられていることを特徴とする、木酢液含有粉末入り添付袋。
【請求項１２】
人体やペットの体に巻く帯状体の体に対する側にポケットが設けられており、このポケットは体に対する側が半透過性を有する素材から成ると共に他側が撥水性を有する素材から成り、このポケット内に納める木酢液含有粉末を充填した透水性袋を納められるようにしたことを特徴とする、木酢液含有粉末入り添付袋用の帯状体。
【請求項１３】
足の裏に接する側が半透過性を有すると共に他側が非透水性を有する袋を形成し、内部に木酢液含有粉末を充填して塞いで成り、前記袋は靴の中敷きの形状に成形されて成ることを特徴とする、木酢液含有粉末入り添付袋。
【請求項１４】
前記袋が複数のブロックに分離可能に設けられている、請求項１３に記載の木酢液含有粉末入り添付袋。
【請求項１５】
人体やペットの体に添付する側が体から出る液体に対し半透過性を有する素材から成る袋を形成し、内部に木酢液含有粉末を充填して塞いで成り、この袋は体に固定するための救急ばんそうこう形状に成形された粘着シートのほぼ中央部に貼り付けられており、粘着シートの粘着面を覆う剥離紙が設けられていることを特徴とする、木酢液含有粉末入り添付袋。
【発明の詳細な説明】
【技術分野】
【０００１】  この発明は、体から吸能動的に吸い出した体内の不要な水分の、吸収分が再び体側に戻ってベトついたりすることを抑さえられるようにした、人体やペットの体に添付する木酢液含有粉末入りの袋に関するものである。
【背景技術】
【０００２】  従来より、木酢液含有粉末を充填した透水性の袋を足の裏などに貼ることによって体内の不要な水分を老廃物と共に吸い出すという、実際に優れた効果を上げているものがある。またこのものはクレオソートなどの薬効成分を発散するものであり、殺菌防腐作用の他に効果的持続的に血行促進を行なうなどの作用が知られている。従ってこれを身体各部に添付して使用したいと言う要求がある。なお木酢液含有粉末からは自然治癒力を高める波動が発生しておりこの波動は皮膚から入れるのが良いと言われていることもあって、皮膚に添付して使用することが好ましい。この先行技術として特開２００１−３０１７６５号や特開２００２−３２２０８０号や特開２００３−３４２１９１号の発明を上げることが出来る。また３０９０２６４号の考案も木酢液含有粉末を利用して成るものである。なお木酢液含有粉末は木酢液（竹酢液などもこのカテゴリーに含まれる）を加熱乾燥させたり、澱粉に含ませて乾燥させることによって得られる。【０００３】  また特開２００３−１３５５１４号の発明は、治癒や健康維持を行う貼着体であり、フィルム状の貼着体では剥離フィルムの引き剥しが面倒でうまく剥せず、剥し目が発見しにくく、粉末を袋に詰めたものでは、粉末が漏れ出さないように完全包装の必要があり、その貼着には固定シートを必要とすると言うような問題を解決しようとするものである。このためこの発明では粉末を詰めた袋をこれより大きいシートの中央に仮接着させ、その周囲の仮接着面には袋ごと覆う剥離部材が接着し、この剥離部材は左右に分割されていると共に中央部で重なるように設けられており、前記袋は身体側が通気性を有するものとされている。これにより袋とシートとが一体に設けられているために、使用に際しての操作性に優れ、また剥離部材は二分割であるためつまみやすくなると言う利点を生じている。【０００４】  また特開２００２−２１２０９３号の発明は外用木酢液組成物および皮膚貼布用シートであり、外用材である木酢液組成物を皮膚に長時間接触させておく必要があるが、液体状の木酢液ではすぐに乾燥してしまうし、綿布等に含浸させたものでは乾燥を十分に防げず、乾燥粉末化した木酢液では液状のものに比べてその効果が低いと言うような問題を解決しようとするものである。このため木酢液組成物にデキストリンと粉炭とを含ませている。またこのような外用木酢液組成物が非滲出性基材上に層状に形成された皮膚貼布用シートとしている。これによれば木酢液組成物にデキストリンと粉炭とを含んでいるため、木酢液の含浸性および保持性が良好であり、またこの皮膚貼布用シートを患部に適用すると、長時間にわたり木酢液を患部に作用させることができると言う利点がある。【０００５】  また特開２００３−０９３５２３号の発明は、血行促進作用、疲労回復、冷え性、肩凝り、腰痛、足の痛み・むくみ、また高血圧などを改善できる健康パッドに係るものであり、従来の木酢液貼布シートが効果が弱くて満足できず、安価なものではない点を解決することを目的としている。このため木酢液または木酢液乾燥粉末体、吸湿性粉末体ならびに放射性鉱石粉粒体とを含有する組成物を、通気性のある袋状物に充填してなるものとしている。【���００６】  上記はいずれも身体から排出される液状物をただ単に吸い取るだけの、例えば特開２００２−１１５１０９号の使い捨て汗止め用具や、特開平１１−１８１６７８号の親水性不織布のような衛生材料や特開平０８−２６９８５９号の複合不織布および該複合不織布を用いた衛生材料を利用した、紙おむつや生理用品などとは異なり、主要な成分として木酢液含有粉末を内部に所有しており、このものは体内の不要な水分を老廃物と共に吸い出す作用があると言われるように、積極的な吸い出しを目指す特殊な製品である。
【特許文献１】特開２００１−３０１７６５号公報
【特許文献２】特開２００２−３２２０８０号公報
【特許文献３】特開２００３−３４２１９１号公報
【特許文献４】実用新案登録３０９０２６４号公報
【特許文献５】特開２００３−１３５５１４号公報
【特許文献６】特開２００２−２１２０９３号公報
【特許文献７】特開２００３−０９３５２３号公報
【特許文献８】特開２００２−１１５１０９号公報
【特許文献９】特開平１１−１８１６７８号公報
【特許文献１０】特開平０８−２６９８５９号公報
【発明の開示】
【発明が解決しようとする課題】
【０００７】  ところで木酢液含有粉末を充填した透水性の袋を足の裏などに貼っておくと、袋の中の木酢液含有粉末が作用して能動的に、体内の不要な水分を老廃物と共に吸い出すことが知られている。しかしながらこのように不要な水分を吸い出してくれるのは良いのであるが、木酢液含有粉末に吸われてベトベトに成ったものが袋の表面から再び体側に戻って皮膚に粘り着くと言う問題がある。【０００８】  例えば就寝前に足裏に添付しておくと、就寝中に体内の不要な水分を吸い出してくれるが、起床時にこの袋を足裏から取る段になって足裏に付着したベトベトしたものを取り去るには丁寧に洗い落とさなくてはならない。これとても時間が掛かる作業であり、出勤前の忙しい時間にこのような作業を行なわなくてはならないのは真に煩わしいことである。また日中の活動中にこの袋を足裏に添付しておくことがあるが、歩いている内に足裏がベトベトしたり、ひどい場合には靴を駄目にしてしまうことがある。なお足裏以外の身体部位への添付に於いても同様である。またペットの体に添付する場合では、ベトベトした液が毛に付着するため、それを洗うのが大仕事となる。このベトベト液は体内の不要な水分と老廃物であると言われるように、その色と言い膚触りと言い特殊なものである。見た目ではあまり気持ちの良いものではないが、ある意味で体外に出した毒素であると思えば一定の成果を感じるし感激もある。【０００９】  従ってこの発明は、体内の不要な水分を吸い出しても戻りが少なく、ベトつきが抑さえられるような、木酢液含有粉末入り添付袋（および木酢液含有粉末入り添付袋用の帯状体）の提供を課題とする。
【課題を解決するための手段】
【００１０】  上記の課題は、人体やペットの体に添付する側が透水性を有すると共に他側が非透水性を有する袋を形成し、内部に木酢液含有粉末を充填して塞いで成り、更に前記袋内には体から出る液体を吸収して戻さない吸水体を備えていることを特徴とする、木酢液含有粉末入り添付袋とすることにより達成される。【００１１】  この袋を人体やペットの体に添付しておくと、内部の木酢液含有粉末が体内の不要な水分を能動的に吸い出す。この水分は木酢液含有粉末を湿らせるが、前記吸水体はこの水分を吸収して戻さないため、この水分が前記透水性を有する側を透して体側に戻ることが抑さえられる。なお袋の反対側の面は非透水性を有するものであるため、水分はここから外へ漏れ出すことがない。なお非透水性には撥水性が包含される。【００１２】  なお前記吸水体はすでに紙おむつや生理用品などに使用されているものを利用することが出来る。この参考文献としては例えば特開２００２−１６１４７７号の「吸水性樹脂およびその製造方法」がある。このものは環状イミド基を有するビニル系単量体を必須構成単量体とする吸水性重合体から成る吸水性樹脂であって、紙おむつなどの吸収体物品を形成した時の吸水特性、特に逆戻り性に優れるものに関する。【００１３】  次に上記課題は、人体やペットの体に添付する側が透水性を有すると共に他側が非透水性を有する袋を形成し、内部に木酢液含有粉末を充填して塞いで成り、前記袋は体に添付する側が体から出る液体に対して半透過性を有するものであることを特徴とする、木酢液含有粉末入り添付袋とすることにより達成される。【００１４】  この袋を体に添付しておくと、内部の木酢液含有粉末が人体やペットの体内の不要な水分を能動的に吸い出す。この水分は木酢液含有粉末を湿らせてベトベトになるが、袋の体に添付する側が体から出る液体に対して半透過性を有しているものであるため、このベトベトしたものが袋の表面から再び体側に戻って皮膚に粘り着くと言うような現象が抑さえられる。なお袋の反対側の面からはその非透水性のために水分が外へ漏れ出すことがない。この非透水性には撥水性が包含される。【００１５】  なお半透過性とは、体から吸い出した水分は透すが（透水性を有する）、この逆に体側に透すことはないと言う性質を表わす。このような半透過性シートにはすでに紙おむつや生理用品などに使用されているものを利用することが出来る。この参考文献としては例えば特開２００２−１６１４７７号の「耐久透水性付与材及びその繊維」がある。また例えば特開平０８−２６９８５９号の「複合不織布および該複合不織布を用いた衛生材料」がある。半透過性を有する複合不織布などは膚触りの点からしてもこの発明の木酢液含有粉末入り添付袋に好適な材料である。【００１６】  また上記課題は、人体やペットの体に添付する側が透水性を有すると共に他側が非透水性を有する袋を形成し、内部に木酢液含有粉末を充填して塞いで成り、前記袋は体に添付する側の外側に体から出る液体に対し半透過性を有するシートが設けられていることを特徴とする、木酢液含有粉末入り添付袋とすることにより達成される。【００１７】  内部に木酢液含有粉末を充填して塞いだ、人体やペットの体に添付する側が��水性を有すると共に他側が非透水性を有する袋は、従来の木酢液含有粉末入り添付袋そのものであるが、この発明では更に体に添付する側の外側に半透過性を有するシートを設けている。従って袋の中のベトベトしたものは袋の透水性を有する側から袋の表面に染み出すものの、そこには半透過性を有するシートが設けられているため、結果的にベトベトした液が袋の表面から再び体側に戻り皮膚に粘り着くと言うような現象が抑さえられるのである。【００１８】  なお、この構成の木酢液含有粉末入り添付袋に於いて、前記半透過性を有するシートが袋に対して剥離可能に設けられているものとすることが出来る。半透過性を有するシートを剥離すると、その内側にある透水性を有する面が露出するため、ここに焦茶色のベトベトしたものを見ることが出来るのである。【００１９】  元々木酢液含有粉末を充填した透水性の袋を足の裏などに貼ることにより体内の不要な水分を老廃物と共に吸い出すことが目的であるから、その成果を知りたくなるのも当然である。そのためには吸い出しの成果としてのベトベトした液を確認し得るようにすることが好ましいのであるが、上述のような理由でベトつきを抑さえざるを得ない。ところが必要に応じて半透過性を有するシートを剥離し透水性を有する面を露出可能とすることにより、この二律背反状態を解消することが出来るのである。すなわちベトベトした液が体側に戻ることなく、また確認したいのであればベトベトした液を見ることが出来るのである。【００２０】  また上記課題は、人体やペットの体に添付する側が透水性を有すると共に他側が非透水性を有する袋を形成し、内部に木酢液含有粉末を充填して塞いで成り、前記袋は体に添付する側の内側に体から出る液体に対し半透過性を有するシートが設けられていることを特徴とする、木酢液含有粉末入り添付袋とすることにより達成される。【００２１】  このものは袋の透水性を有する側の内側に半透過性を有するシートを設けているので、袋の外側が透水性を有していたとしても、ベトベトした液は半透過性を有するシートに阻まれて戻ることがない。【００２２】  なおこれまで説明した木酢液含有粉末入り添付袋は、人体やペットの体に容易に添付し得る方が好ましい。そこで更に、前記添付袋が体に固定するための粘着シートを備えており、粘着シートの粘着面を覆う剥離紙が設けられているものとした。この場合添付袋が粘着シートに最初から付いて一体である場合と、添付袋と粘着シートとは別体であって体に添付する際に粘着シートで添付袋を固定する場合とがある。何れにせよ添付袋は粘着シートの粘着面のほぼ中央部に位置させるようにするとよい。【００２３】  さて粘着シートから剥離紙を剥離すると粘着面が現われるので、この粘着面を以て人体やペットの体の所要箇所に接着させるようにする。【００２４】  また前記添付袋の体に添付する側に透水性を有する粘着面が設けられており、この粘着面を覆う剥離紙が設けられているものとしてもよい。【００２５】  粘着面から剥離紙を剥離すると粘着面が現われるので、この粘着面を以て人体やペットの体の所要箇所に接着させるようにするのである。この粘着面は透水性を有しているため、体から吸い出した液体を透過させることが出���るのである。従って添付袋の体に添付する側はベトベトした液を体側に戻さないために、体に対する粘着力が低下することがないと言う効果を奏する。【００２６】  また上記課題は、人体やペットの体に添付する側が体から出る液体に対し半透過性を有する素材から成る袋を形成し、この内部に木酢液含有粉末を充填して塞いで成ると共に、粘着面を覆う剥離紙が張られた体に固定するための非透水性を有する粘着シートを備えていることを特徴とする、木酢液含有粉末入り添付袋とすることにより達成される。粘着シートが撥水性を有しているために、袋の粘着シート側の素材は透水性のものであっても非透水性のものであってもどちらでもよい。【００２７】  この袋を体に添付しておくと、内部の木酢液含有粉末が人体やペットの体内の不要な水分を能動的に吸い出す。この際袋の体に添付する側が体から出る液体に対して半透過性を有しているものであるため、このベトベトしたものが袋の表面から再び体側に戻って皮膚に粘り着くことが抑さえられるのである。なお添付袋と粘着シートとを一体にしておく場合と、使用時に初めて粘着シートを添付袋に貼り付けるようにする場合とがある。【００２８】  また上記課題は、人体やペットの体に添付する側が体から出る液体に対し半透過性を有すると共に他側が透水性を有する袋を形成し、内部に木酢液含有粉末を充填して塞いで成り、前記袋の体に添付する側に透水性を有する粘着面が設けられておりこの粘着面を覆う剥離紙が設けられていると共に、前記添付袋の透水性を有する側に非透水性を有するシートが剥離可能に設けられていることを特徴とする、木酢液含有粉末入り添付袋とすることにより達成される。【００２９】  袋の他側は透水性を有してはいるが、この側は非透水性を有するシートが剥離可能に設けられている。従って袋の他側は非透水性を有するシートを剥離するまでは非透水性を保つが、この非透水性を有するシートを剥離すると、その内側にある透水性を有する面が露出するため、ここに焦茶色のベトベトしたものを見ることが出来るのである。これは上述の請求項４に係る効果が透過性を有する側とは反対の側で見られるようにした点に特徴を有するものである。従ってこの発明によっても体内の不要な水分や老廃物の吸い出しの成果としてのベトベトした液を目で見て確認することが出来、達成感が得られるのである。【００３０】  また上記課題は、人体やペットの体に添付する側が体から出る液体に対し半透過性を有すると共に他側が透水性を有する袋を形成し、内部に木酢液含有粉末を充填して塞いで成り、この袋を体に固定するための透明且つ非透水性を有する粘着シートを備えており、粘着シートの粘着面を覆う剥離紙が設けられていることを特徴とする、木酢液含有粉末入り添付袋とすることにより達成される。【００３１】  袋の他側は透水性を有してはいるが、この上を非透水性を有する粘着シートが覆っていることにより非透水性を保っている。またこの粘着シートは透明であるため、この粘着シートを透して透水性を有する側の面に焦茶色のベトベトしたもののあることを見ることが出来るのである。【００３２】  また上記課題は、人体やペットの体に添付する側が体から出る液体に対し半透過性を有する素材から��る袋を形成し、内部に木酢液含有粉末を充填して塞いで成り、前記袋の体に添付する側ではない側に開孔部が設けられており、この袋を体に固定するための透明な粘着シートを備えていると共に、粘着シートの粘着面を覆う剥離紙が設けられていることを特徴とする、木酢液含有粉末入り添付袋とすることにより達成される。【００３３】  従ってこの発明に於いても透明な粘着シートを透して、更に前記開孔部を透して、内部の木酢液含有粉末がベトベトした焦茶色に変化していることを見ることが出来るのである。【００３４】  また上記課題は、人体やペットの体に巻く帯状体の体に対する側にポケットが設けられており、このポケットは体に対する側が半透過性を有する素材から成ると共に他側が撥水性を有する素材から成り、このポケット内に木酢液含有粉末を充填した透水性袋を納められるようにしたことを特徴とする、木酢液含有粉末入り添付袋用の帯状体とすることにより達成される。【００３５】  帯状体としては八巻、腹巻、四肢のためのサポーターなどを上げることが出来る。これであれば容易に着脱が可能であり、伸縮性を備えていることから、夫々の用途に合わせた大きさや形状の帯状体を用いることによって夫々の部位に密着させることが可能と成るため、違和感がなく、ずれにくく、また粘着剤不使用のため肌荒れなどの心配がなく、また体毛に煩わされることがない。このポケットには、別途用意した木酢液含有粉末を充填した添付袋を納入することが可能であり、また新品の木酢液含有粉末を充填した添付袋と交換することが出来る。【００３６】  前記ポケットは体に対する側が透水性を備えているため、中に納めた添付袋が人体やペットの体内の不要な水分を能動的に吸い出すことが出来る。この水分は木酢液含有粉末を湿らせてベトベトになるが、ポケットの体に接する側が体から出る液体に対して半透過性を有しているものであるため、このベトベトしたものがポケットの表面から再び体側に戻って皮膚に粘り着くと言うような現象が抑さえられる。なおポケットの反対側の面からはその撥水性のために水分が外へ漏れ出すことがない。なお波動作用についてこの袋を体に密着させることによって、より効果的に皮膚に当該作用を及ぼすことが出来る。【００３７】  このポケット内に納める添付袋は、上述したこの発明の添付袋であると好都合である。何故ならば吸い出した結果のベトベトした液でポケットさえ汚すことがなくなるからである。【００３８】  また上記課題は、足の裏に接する側が半透過性を有すると共に他側が非透水性を有する袋を形成し、内部に木酢液含有粉末を充填して塞いで成り、前記袋は靴の中敷きの形状に成形されて成ることを特徴とする、木酢液含有粉末入り添付袋とすることにより達成される。これは所謂インナーソールである。【００３９】  このものを使用するには、靴の中に敷いて裸足で靴を履くか、直接足の裏に接触するようにして粘着シート等で止めるようにすればよい。足の裏にはたくさんのツボが存在し、ほぼ体中の器官に係わっていることが、足裏反射区と呼ばれるマップを見ることにより了解されるであろう。ここに木酢液含有粉末を充填した袋を当てるのである。【００４０】  なおこのように足の裏に接するようにする場合、足の���の全体がカバーされるようにしてもよいが、足の指の部位のみ、足の裏の前半分のみ、後半分のみなどのように部分部分に使用可能とするのもよい。従って各部位用のものを用意したり、大きいものを分割して使用出来るようにすればよい。【００４１】  また上記課題は、人体やペットの体に添付する側が体から出る液体に対し半透過性を有する素材から成る袋を形成し、内部に木酢液含有粉末を充填して塞いで成り、この袋は体に固定するための救急ばんそうこう形状に成形された粘着シートのほぼ中央部に貼り付けられており、粘着シートの粘着面を覆う剥離紙が設けられていることを特徴とする、木酢液含有粉末入り添付袋とすることにより達成される。【００４２】  このように救急ばんそうこう形状に成形されているために、使い勝手が極めて良いと言う効果がある。このほかこの発明では、木酢液含有粉末充填袋の形状を任意形状としている。従ってハートなどの抽象形状や菊の花などの具象形状に成形したものを提供し得る。
【発明の効果】
【００４３】  この発明によれば、体内の不要な水分を吸い出しても戻りが少なく、ベトつきが抑さえられると言う効果を奏する。
【発明を実施するための最良の形態】
【００４４】  第１実施形態
この実施形態の木酢液含有粉末入り添付袋は、図１及び図２で表わされているように、透水性不織布１と撥水性不織布２とで密封された袋を形成し、この袋の中に木酢液含有粉末３と吸水体４とを納めて成る。木酢液含有粉末３と吸水体４とは２層に分かれており、木酢液含有粉末３が透水性不織布１の側に、また吸水体４が撥水性不織布２の側に配置されている。この吸水体４には紙おむつや生理用品などに使用されているもの、例えば特開２００２−１６１４７７号の吸水性樹脂を利用することが出来る。なお木酢液含有粉末３と吸水体４とで層を分けずに、例えば粉末状等の吸水体と木酢液含有粉末とを混在させるようにすることも可能である。【００４５】  この木酢液含有粉末入り添付袋は、透水性不織布１の側が人体やペットの体に着くように添付される。図１及び図２で表わされているように、木酢液含有粉末３が体液を吸い出すと、この体液は透水性不織布１を透過して木酢液含有粉末３を湿らせるが（細矢線）、この水分は吸水性と逆戻り性に優れた吸水体４に吸い取られてしまうのである（太矢線）。従って吸い出した体液の透水性不織布１側への戻りは少なくなりベトつきが抑えられる。撥水性不織布２は透水性不織布にビニールコーティングが施されたものであるから、ここを水分が通過して袋の外に出ることはない。【００４６】  第２実施形態
この実施形態の木酢液含有粉末入り添付袋は、図３及び図４で表わされているように、撥水性不織布２と半透過性不織布５とで密封された袋を形成し、この袋の中に木酢液含有粉末３を納めて成る。半透過性不織布５は透水性不織布に半透性フィルムを張り合わせて成るものである。【００４７】  この木酢液含有粉末入り添付袋は、半透過性不織布５の側が人体やペットの体に着くように添付される。図３及び図４で表わされているように、木酢液含有粉末３が体液を吸い出すと、この体液は半透過性不織布５を透過して木酢液含有粉末３を湿らせるが（細矢線）、こうして出来たベトベト液Ｂが半透過性不織布５を逆戻りして袋の外に出ることはない（太矢線）。【００４８】  さて上述した２つの実施形態の木酢液含有粉末入り添付袋は、人体やペットの体に添付して固定するのにテーピング等を行うものであるが、この固定を容易にするものとして粘着シートとのセットとしたものが次に説明する第３実施形態の木酢液含有粉末入り添付袋である。【００４９】  第３実施形態
この実施形態の木酢液含有粉末入り添付袋は、図５で表わされているように、粘着シート６の粘着剤６０の側のほぼ中央部分に、前述した第２実施形態の木酢液含有粉末入り添付袋を、撥水性不織布２の側が粘着剤６０に接するようにして接着して成るものである。更に粘着剤６０の側には図示しない剥離紙が接着されている。なお符号５０は半透過性不織布５の周縁部の溶着部を指示する。【００５０】  この木酢液含有粉末入り添付袋を使用するには、前記剥離紙を剥離した後に、粘着シート６の粘着剤６０を以て体に貼り付けるようにする。これにより半透過性不織布５の側が体に接するようにして固定されることになる。【００５１】  第４実施形態
この実施形態の木酢液含有粉末入り添付袋は、図６で表わされているように、透水性不織布１と撥水性不織布２とで密封された袋を形成し、透水性不織布１の外面側に半透過性不織布５を張り付け、この袋の中に木酢液含有粉末３を納めて成るものである。すなわち従来の木酢液含有粉末入り添付袋の透水性不織布１の側に半透過性不織布５を張り付けて成るものが、この実施形態の木酢液含有粉末入り添付袋であると見ることが可能である。【００５２】  この木酢液含有粉末入り添付袋は、半透過性不織布５の側が体に着くようにして添付される。図６で表わされているように木酢液含有粉末３が体液を吸い出すと、この体液は半透過性不織布５と透水性不織布１とを透過して木酢液含有粉末３を湿らせるが（細矢線）、こうして出来たベトベト液Ｂは透水性不織布１を逆戻りして透水性不織布１と半透過性不織布５との間までは戻るものの、半透過性不織布５より外に出ることはない（太矢線）。【００５３】  第５実施形態
この実施形態の木酢液含有粉末入り添付袋は、図７及び図８で表わされているように、透水性不織布１と撥水性不織布２とで密封された袋を形成し、透水性不織布１の外面側に半透過性不織布５を剥離可能に張り付け、この袋の中に木酢液含有粉末３を納めて成るものである。なお半透過性不織布５の外側には透水性粘着剤７が塗布されている。また半透過性不織布５の一部は透水性不織布１の周縁部の溶着部１０よりも外側に突設された剥離つまみ５１とされている。【００５４】  この木酢液含有粉末入り添付袋は前記透水性粘着剤７を以て体に接着される。木酢液含有粉末３によって吸い出された体液は透水性粘着剤７、半透過性不織布５、透水性不織布１を順次透過して木酢液含有粉末３を湿らせるが（細矢線）、こうして出来たベトベト液Ｂは透水性不織布１と半透過性不織布５との間までは逆戻りするものの、半透過性不織布５より外には出られない（太矢線）。【００５５】  特にこの実施形態の木酢液含有粉末入り添付袋は、半透過性不織布５を透水性不織布１から剥離することが出来るようになっている。従って剥離つまみ５１をつまんで引っ張り半透過性不織布５を剥離すると、この剥離面にベトベト液Ｂが付着している様子を見ることが出来るのである。このことにより木酢液含有粉末３の成果が目で確認されるのである。なお透水性粘着剤７を用いずとも、例えばドット状に粘着剤を隙間を空けて塗布するようにすれば、透水性を実現することが可能である。【００５６】  なお上記とは逆の側でベトベト液Ｂを観察し得るように構成することが可能である。このためには例えば前記撥水性不織布２の代わりに透過性不織布を用い、この外面側に撥水性不織布２を剥離可能に張り付けて成るものとすればよい。【００５７】  第６実施形態
この実施形態の木酢液含有粉末入り添付袋は、図９で表わされているように、透水性不織布１の内側となる側に半透過性不織布５を張り付け、これと撥水性不織布２とで密封された袋を形成し、この袋の中に木酢液含有粉末３を納めて成るものである。【００５８】  この木酢液含有粉末入り添付袋は、透水性不織布１の側が体に着くようにして添付される。図９で表わされているように木酢液含有粉末３が吸い出した体液は透水性不織布１と半透過性不織布５とを透過して木酢液含有粉末３を湿らせるが（細矢線）、こうして出来たベトベト液Ｂは半透過性不織布５より外に出ることはない（太矢線）。【００５９】  第７実施形態
この実施形態の木酢液含有粉末入り添付袋は図１０で表わされているように、体に着く側を半透過性不織布５とし、そうでない側を透水性不織布１とし、これ等で密封された袋を形成してこの袋の中に木酢液含有粉末３を納め、この袋より大きな粘着シート６のほぼ中央部に粘着シート６の粘着剤６０を以て、袋を透水性不織布１の側から貼り付け、更に粘着剤６０の面に剥離紙８を貼り付けて成るものである。なお前記袋も粘着シート６も共に円形状のものとした。【００６０】  この実施形態の木酢液含有粉末入り添付袋によれば、透水性不織布１側の撥水性が粘着シート６の防水性を利用したものとなっている点に特徴を有する。【００６１】  第８実施形態
この実施形態の木酢液含有粉末入り添付袋は図１１で表わされているように、体に着く側を半透過性不織布５とし、そうでない側を透水性不織布１とし、これ等で密封された袋を形成してこの袋の中に木酢液含有粉末３を納め、この袋より大きい透明粘着シート６１のほぼ中央部に透明粘着シート６１の透明粘着剤６２を以て、袋を透水性不織布１の側から貼り付け、更に透明粘着剤６２の面に剥離紙８を貼り付けて成るものである。【００６２】  この実施形態の木酢液含有粉末入り添付袋によれば、透水性不織布１側の撥水性が粘着シート６の防水性を利用したものとなっていると共に、粘着シート６１と粘着剤６２とが共に透明であることによって、透水性不織布１に付着するベトベト液Ｂを外から見ることが出来ると言う特徴を有する。【００６３】  第９実施形態
この実施形態の木酢液含有粉末入り添付袋は、体に着く側とは反対側から見た図１２で表わされているように、透明粘着シート６１のほぼ中央部分に、開孔部２０を有する撥水性不織布２と、半透過性不織布５（図示せず）とで作られた袋を形成し、この袋の中に木酢液含有粉末３を納めて成る木酢液含有粉末入り添付袋を、撥水性不織布２の側が透明粘着シート６１に接するようにして接着して成るものである。更に図示しない透明粘着剤６２の側には図示しない剥離紙が接着されている。【００６４】  この木酢液含有粉末入り添付袋によれば、前記開孔部２０を通して袋の内部の木酢液含有粉末を見ることが出来る。従って使用後に木酢液含有粉末がベトベト液Ｂで湿っている状態を透明粘着シート６１を透して外から観察することが可能なのである。【００６５】  第１０実施形態
この実施形態の木酢液含有粉末入り添付袋用の帯状体は、図１３及び図１４で表わされているように、伸縮性のベルト９の内側に半透過性ポケット９０が設けられている点に特徴を有する。【００６６】  この半透過性ポケット９０の挿入口９１から半透過性ポケット９０の中に木酢液含有粉末入り添付袋を入れるようにする。この木酢液含有粉末入り添付袋は、図１４で表わされているように、透水性不織布１と撥水性不織布２とで密封された袋を形成し、この袋の中に木酢液含有粉末３を納めて成るものであり、透水性不織布１の側が半透過性ポケット９０側となるように納めるのである。【００６７】  この実施形態の帯状体によれば、ベトベト液Ｂは透水性不織布１までは逆戻りするものの、半透過性ポケット９０から外に漏れることはない。【００６８】  第１１実施形態
この実施形態の木酢液含有粉末入り添付袋はインナーソール形状を呈するものであって、図１５で表わされているように、足の裏に接する側が半透過性を有する半透過性不織布５２で、他側が撥水性不織布（図示せず）の、内部に木酢液含有粉末を充填して塞いで成る袋である。この袋はその周囲の溶着部５３によって密閉されているが、袋の中心部を横断する部位はやはり溶着部５４が設けられており、この溶着部５４によって袋は前後に分割されている。なお溶着部５４の中心部にはミシン目５５が設けられており、このミシン目５５によって袋が前後に分離可能とされている。【００６９】  このものはこのまま足の裏に接するようにして使用することが出来るが、前記ミシン目５５から切り離すことによって、足の裏に対して各々別々に使用することが出来るようになると言う特徴を有する。【００７０】  第１２実施形態
この実施形態の木酢液含有粉末入り添付袋は救急ばんそうこう形状を呈するものであって、図１６で表わされているように、撥水性不織布２と半透過性不織布５とで密封された袋を形成し、この袋の中に木酢液含有粉末３を納め、この袋を撥水性不織布２の側を以て細長いばんそうこう６３の中心部に貼り付けて成るものである。なおばんそうこう６３には図示しない剥離紙が接着されており、この剥離紙はこの袋をも覆っている。【００７１】  このように救急ばんそうこう形状であるため、図示しない剥離紙を剥離することですぐに使用が可能となり、極めて便利である。
【産業上の利用可能性】
【００７２】  なおこの発明は上述した実施形態にのみ限定されないから、袋の各部の材質の選択は任意であり、特に不織布でなくともよい。また袋形状なども自由に決めることが出来る。第３、第７実施形態では袋を粘着シートに貼り付け、粘着剤の面に剥離紙を貼り付けているが、これとは別に袋と、剥離紙が貼り付けられた粘着シートとの組として、使用時に粘着シートから剥離紙を取り去り粘着面に袋を貼り付けるようにして使用するタイプのものも提供可能である。【００７３】  袋内の木酢液含有粉末には、ムラサキイペ、キャッツクロー、ショウガエキス等、各種ハーブ類、ミネラル、ビタミン類を混入させたものも提供可能である。上述した波動を重視する場合には石粉等の波動発生物質を混入してもよい。なお体内の不要な水分を老廃物と共に吸い出す作用のあるものであれば、木酢液含有粉末の代替として使用することが可能であり、このような構成もこの発明の権利範囲内のものである。
【図面の簡単な説明】
【００７４】
【図１】  第１実施形態の断面図である。
【図２】  同実施形態の説明図である。
【図３】  第２実施形態の断面図である。
【図４】  同実施形態の説明図である。
【図５】  第３実施形態の平面図である。
【図６】  第４実施形態の断面図である。
【図７】  第５実施形態の使用状態説明図である。
【図８】  同実施形態の使用状態説明図である。
【図９】  第６実施形態の断面図である。
【図１０】  第７実施形態の部分破断説明図である。
【図１１】  第８実施形態の部分破断説明図である。
【図１２】  第９実施形態の背面図である。
【図１３】  第１０実施形態の斜視図である。
【図１４】  図１３のＸ−Ｘ線断面図である。
【図１５】  第１１実施形態の平面図である。
【図１６】  第１２実施形態の部分破断説明図である。
【符号の説明】
【００７５】１    透水性不織布
１０  溶着部
２    撥水性不織布
２０  開孔部
３    木酢液含有粉末
４    吸水体
５    半透過性不織布
５０  溶着部
５１  剥離つまみ
５２  半透過性不織布
５３  溶着部
５４  溶着部
５５  ミシン目
６    粘着シート
６０  粘着剤
６１  透明粘着シート
６２  透明粘着剤
６３  ばんそうこう
７    透水性粘着剤
８    剥離紙
９    ベルト
９０  半透過性ポケット
９１  挿入口
Ｂ    ベトベト液
【図１】
2005334631.tif 000003
【図２】
2005334631.tif 000004
【図３】
2005334631.tif 000005
【図４】
2005334631.tif 000006
【図５】
2005334631.tif 000007
【図６】
2005334631.tif 000008
【図７】
2005334631.tif 000009
【図８】
2005334631.tif 000010
【図９】
2005334631.tif 000011
【図１０】
2005334631.tif 000012
【図１１】
2005334631.tif 000013
【図１２】
2005334631.tif 000014
【図１３】
2005334631.tif 000015
【図１４】
2005334631.tif 000016
【図１５】
2005334631.tif 000017
【図１６】
2005334631.tif 000018